(57)【要約】      （修正有）【課題】本体に食切り穴の形成を必要とする弾性手段を設けたり、スタイラスペンに破損の恐れがある弾性手段を設けたりすることなく、スタイラスペンを本体に係止する構造を提供する。【解決手段】スタイラスペン２００を着脱自在に収容するスタイラスペン収容部を備えた携帯用電子端末装置１０であって、スタイラスペン収容部は、スタイラスペン収容空間と、スタイラスペン収容空間内部に向けて突出する第１の突起とこの第１の突起に対して斜向かいの位置からスタイラスペン収容空間内部に向けて突出する第２の突起とを有する係止部と、を備え、スタイラスペン２００は、ペン本体２１０と、ペン本体２１０の中心軸に沿って側面から径方向外側に突出した平板状のタブ２２０と、を備え、タブ２２０の第１の面に前記第１の突起に係合する第１の溝を備え、前記タブの第２の面に前記第２の突起に対応する位置に前記第２の溝を備える。【選択図】図２
2014063238.tif 000002
【特許請求の範囲】
【請求項１】
スタイラスペンを着脱自在に収容するスタイラスペン収容部を備えた携帯用電子端末装置であって、
前記スタイラスペン収容部は、スタイラスペン収容空間と、該スタイラスペン収容空間内部に向けて突出する第１の突起と該第１の突起に対して斜向かいの位置から前記スタイラスペン収容空間内部に向けて突出する第２の突起とを有する係止部と、を備え、
前記スタイラスペンは、ペン本体と、該ペン本体の中心軸に沿って側面から径方向外側に突出した平板状のタブと、を備え、該タブの第１の面に前記第１の突起に係合する第１の溝を備え、前記タブの第２の面に前記第２の突起に対応する位置に前記第２の溝を備えることを特徴とする携帯用電子端末装置。
【請求項２】
前記タブの厚さが、前記第１の突起と前記第２の突起とが正対した場合の突起間の仮想距離よりも大きく、かつ前記第１の突起と前記第２の突起の最短距離よりも小さいことを特徴とする請求項１に記載の携帯用電子端末装置。
【請求項３】
前記第１の突起と前記第２の突起が非対称の形状であることを特徴とする請求項１又は２に記載の携帯用電子端末装置。
【請求項４】
前記スタイラスペン収容部が前記係止部の周囲にスロット状の開口部を有しており、前記スタイラスペンが前記スタイラスペン収容部に収容された際に、前記開口部から前記タブの一部が外部に突出することを特徴とする請求項１〜３のいずれかに記載の携帯用電子端末装置。
【発明の詳細な説明】
【技術分野】
【０００１】
本発明は、携帯用電子端末装置、特に、入力操作用のスタイラスペンを着脱自在に収容する機構を備えた携帯用電子端末装置に関する。
【背景技術】
【０００２】
タブレット型コンピュータ、電子辞書、携帯用電子ゲーム機等の携帯用電子端末装置において、液晶ユニット等の表示装置の表面にはタッチパネル等の入力装置が設けられている。これらタッチパネルは、ユーザの手指を直接パネル表面に接触、或いは接近させることによって入力操作可能であるだけでなく、スタイラスペン等のポインティングデバイス等をも用いて入力操作することが可能である。
【０００３】
そのため、近年の携帯用電子端末装置においては、スタイラスペンを着脱自在に収容する各種の機構を備えたものが開発されている。例えば、下記特許文献１（特開平１１−３０５９２８号公報）は、タッチペンを収容するための収納溝の開口部を、携帯用電子機器の筐体の一側面から隣接面に掛渡るように形成し、収納溝内部にタッチペンを弾性保持する保持手段を設けたことにより、タッチペンの軸心に対して平行或いは垂直のいずれの方向からでも収納、取出し可能としたタッチペンの収納構造を開示している。
【０００４】
また、下記特許文献２（特開平７−１７５５７３号公報）は、スタイラスペンを、ペン本体とペンの外周面の一端から突出してペンの軸部に沿って延在したペンホルダ部とから構成し、スタイラスペンがコンピュータ本体のペン収容部に収納された際にペンホルダ部とスタイラスペンの外周面でペン収容部の薄壁部を峡持する構造を開示している。なお、このペンホルダ部はペンの外周面と一端で接続されているので弾性を有している。
【先行技術文献】
【特許文献】
【０００５】
【特許文献１】特開平１１−３０５９２８号公報
【特許文献２】特開平７−１７５５７３号公報
【発明の概要】
【発明が解決しようとする課題】
【０００６】
上記特許文献１に開示されたように、スタイラスペン収容部の内部に弾性のある保持手段を成形するためには、金型を使用する都合上、ハウジング内部の弾性保持手段の周囲等に食切り穴を形成することによって保持手段が弾性を有するようにしなければならなかった。ハウジング内部このような穴が形成されていると、ユーザがハウジングに水をこぼしたりした際に、水分が本体内部に浸入し、装置が故障する恐れがあった。
【０００７】
また、上記特許文献２のように、スタイラスペン側に弾性のあるペンホルダ部等を形成した場合は、ペンホルダ部とペン本体との接続部分に応力が加わった場合に破損しやすいという問題がある。
【０００８】
そこで、本発明の目的は、スタイラスペンを着脱自在に収容する機構を備えた携帯用電子端末装置において、本体側に食切り穴の形成を必要とする弾性手段を設けたり、スタイラスペン側に破損の恐れがある弾性手段を設けたりすることなく、スタイラスペンを本体に係止する構造を提供することである。
【課題を解決するための手段】
【０００９】
本発明は、スタイラスペンを着脱自在に収容するスタイラスペン収容部を備えた携帯用電子端末装置であって、前記スタイラスペン収容部は、スタイラスペン収容空間と、該スタイラスペン収容空間内部に向けて突出する第１の突起と該第１の突起に対してはす向かいの位置から前記スタイラスペン収容空間内部に向けて突出する第２の突起とを有する係止部と、を備え、前記スタイラスペンは、ペン本体と、該ペン本体の中心軸に沿って側面から径方向外側に突出した平板状のタブと、を備え、該タブの第１の面に前記第１の突起に係合する第１の溝を備え、前記タブの第２の面に前記第２の突起に対応する位置に前記第２の溝を備えることを特徴とする。
【００１０】
本発明の携帯用電子端末装置によれば、携帯用電子端末装置のスタイラスペン収容空間に収容する際に、スタイラスペン収容空間内部に向けて突出する第１の突起とそれに対して斜向かいの位置からスタイラスペン収容空間内部に向けて突出する第２の突起とを有する係止部に、スタイラスペンに設けられたタブ部両面の溝を係止させることができる。これにより、スタイラスペン収容空間内部に、スタイラスペンを係止するための弾性手段を形成する目的で食切り穴等を形成する必要がなくなり、水等の汚損物質が内部に浸入することを防止することが可能となる。また、スタイラスペン側にも破損の恐れのある弾性手段を形成する必要をなくすことがかのうとなり、スタイラスペンの寿命を延ばすことが可能となる。
【００１１】
また、本発明の一態様において、前記タブの厚さは、前記第１の突起と前記第２の突起とが正対した場合の突起間の仮想距離よりも大きく、かつ前記第１の突起と前記第２の突起の実際の最短距離よりも小さいことを特徴とする。
【００１２】
本発明の一態様によれば、タブの厚さを、第１の突起と第２の突起とが正対した場合の突起間の仮想距離よりも大きく、かつ第１の突起と第２の突起の最短距離よりも小さくすることによって、第１の突起と第２の突起の間に円滑に挿入できるようにする同時に、両突起と溝との係合状態が簡単に解除されることがないようにできる。
【００１３】
また、本発明の一態様において、前記第１の突起と前記第２の突起は非対称の形状であることを特徴とする。
【００１４】
本発明の一態様によれば、第１の突起と第２の突起の形状が対称な形状ではないので、第１の溝と第１の突起間の係合力と第２の溝と第２の突起間の係合力に変化をもたせることが可能になり、突起と溝との係合状態を解除しやすくでき、スタイラスペンをスタイラスペン収容空間内部から引き抜きやすくすることができる。
【００１５】
また、本発明の一態様において、前記スタイラスペン収容部は前記係止部の周囲にスロット状の開口部を有しており、前記スタイラスペンが前記スタイラスペン収容部に収容された際に、前記開口部から前記タブの一部が外部に突出することを特徴とする。
【００１６】
本発明の一態様によれば、スタイラスペンがスタイラスペン収容空間内部に収容された際に、タブの一部分がスロット状の開口から外部に突出する。そのため、ユーザは、この突出した部分を手指で引っ掛けて引っ張ることによって、スタイラスペンをスタイラスペン収容開口から引き外すことができる。
【発明の効果】
【００１７】
本発明の携帯用電子端末装置によれば、スタイラスペンを着脱自在に収容する機構を提供するとともに、本体側に食切り穴の形成を必要とする弾性手段を設けたり、スタイラスペン側に破損の恐れがある弾性手段を設けたりすることなく、スタイラスペンを本体に係止する構造を提供することが可能となる。
【図面の簡単な説明】
【００１８】
【図１】図１Ａは、本実施形態のタブレット型コンピュータ１０の正面図、図１Ｂは平面図、図１Ｃは左側面図である。
【図２】図２は、本実施形態のタブレット型コンピュータ１０からスタンドを取り外した状態で前方を上にして見た外観斜視図である。
【図３】図３は、図２のタブレット型コンピュータ１０からスタンドを取り外した状態で後方を上にして見た外観斜視図である。
【図４】図４は、図２のスタンドを取り外した状態のタブレット型コンピュータ１０を、正面を上にして分解した分解斜視図である。
【図５】図５Ａは、図４のIVＡ部分を上下を反転させた拡大図であり、図５Ｂは、図４のIVＢ部分の拡大図である。
【図６】図６は、図２をVI-VI線で切断した拡大断面図である。
【図７】図７Ａは、スタイラスペンを、スタイラスペンのタブの第１の面を上にした状態の外観斜視図、図７Ｂは、スタイラスペンを、スタイラスペンのタブの第２の面を上に下状態の外観斜視図である。
【図８】図８は、図７ＡのスタイラスペンをVIII−VIII線で切断した拡大断面図である。
【図９】図９は、タブレット型コンピュータ１０にスタイラスペンを収容した状態の外観斜視図である。
【図１０】図１０は、図９のX-X線断面図であり、タブレット型コンピュータ１０とスタイラスペンとの係合状態を示す図である。
【発明を実施するための形態】
【００１９】
以下、本発明の実施形態を、図面を参照して詳細に説明する。なお、以下に説明する実施形態は、本発明の携帯用電子端末装置としてタブレット型コンピュータを一例として説明するものであって、本発明をこのタブレット型コンピュータに限定するものではなく、電子辞書、携帯用電子ゲーム機等、特許請求の範囲に記載された他の形態の携帯用電子端末装置にも等しく適用されるべきものである。
【００２０】
なお、以下の説明において、前、後ろ、上、下、右側、左側という場合、図１Ａに示すタブレット型コンピュータ１０の紙面上方を上、紙面下方を下、紙面右手を右側、紙面左手を左側、図１Ｃにおける紙面右側を前、紙面左側を後ろというものとする。
【００２１】
図１を参照して、本実施形態のタブレット型コンピュータ１０の構成について説明する。なお、図１Ａは、本実施形態のタブレット型コンピュータ１０の正面図、図１Ｂは平面図、図１Ｃは左側面図である。タブレット型コンピュータ１０は、本体１００と、本体１００に着脱自在に収容されるスタイラスペン２００（図２参照）を備えて構成される。本体１００は、それぞれ樹脂で形成された前部ハウジング１１０、後部ハウジング１２０から成るハウジングと、スタンド１３０を備えて構成される。前部ハウジング１１０は矩形状の前面１１１を備え、前面１１１には矩形状の開口１１２が形成される。前面１１１の裏側には液晶表示パネルユニット等の表示装置、及びその表面に取付けられたタッチパネル等の入力装置（以下、タッチスクリーン）１１３が保持されて、開口１１２の内側の部分が画像表示領域として前方から視認可能、また操作入力領域として前方からユーザの手指やスタイラスペン２００によって操作できるようにされる。
【００２２】
後部ハウジング１２０は前部ハウジング１１０の形状に対応した矩形状であり、タッチスクリーン１１３、及びハウジング内部に配置される制御基板を前部ハウジング１１０、又は後述するセパレータ１５０（図４参照）との間に収容し保護する。スタンド１３０は後部ハウジング１２０の後部下側に係止手段（図示せず）によって取り付けられる。スタ
ンド１３０は、前部ハウジング１１０及び後部ハウジング１２０に対して平行方向に延在するハウジング取付け部１３１と前部ハウジング１１０及び後部ハウジング１２０に対して所定角度で後方へ向けて突出した突出部１３２より構成される。
【００２３】
このスタンド１３０は、タブレット型コンピュータ１０をテーブル等の支持面上に置いた際に、スタンド１３０の底面１３３と突出部１３２の先端部とで本体１００を所定角度、つまりタッチスクリーン１１３が支持面に対して垂直に近い角度で支えることができる。一方、スタンド１３０は、突出部１３２の先端部と後部ハウジング１２０の上面１２１を支持面上に載置することによって、液晶表示パネルユニット１１３を水平に近い状態で支持することが可能となる。
【００２４】
図２、図３を参照してタブレット型コンピュータ１０の前部ハウジング１１０と後部ハウジング１２０及びスタイラスペン２００についてさらに詳細に説明する。なお、図２は、本実施形態のタブレット型コンピュータ１０からスタンドを取り外した状態で前方を上にして見た外観斜視図であり、図３は、図２のタブレット型コンピュータ１０からスタンドを取り外した状態で後方を上にして見た外観斜視図である。前部ハウジング１１０の上面１１４と左側面１１５の接合部分付近、及び、後部ハウジング１２０の上面１２１と左側面１２２との接合部付近には、スタイラスペン２００を挿入するための開口１４０が設けられる。この開口１４０は、大部分が前部ハウジング１１０の上面１１４と後部ハウジング１２０の上面１２２に形成されており、一部が前部ハウジング１１０の左側面１１５、及び後部ハウジング１２０の左側面１２２に形成される。さらに開口１４０から左側面１１５、左側面１２２にかけてスロット１４１が形成される。開口１４０とスロット１４１は互いに連通している。なお、この開口１４０、及びスロット１４１部分については後で詳細に説明する。
【００２５】
この開口１４０には、矢印Pの向きにスタイラスペン２００を挿入することが可能であり、挿入されるとスタイラスペン２００のペン本体の部分は前部ハウジング１１０と後部ハウジング１２０の内部に形成されるスタイラスペン収容部（後述）に着脱自在に収容される。
【００２６】
次に、図４〜図６を参照して、上記開口１４０、スロット１４１、及び前部ハウジング１１０と後部ハウジング１２０の内部に形成されるスタイラスペン収容部について説明する。なお、図４は、図２のスタンドを取り外した状態のタブレット型コンピュータ１０を、正面を上にして分解した分解斜視図であり、図５Ａは、図４のIVＡ部分を上下を反転させた拡大図であり、図５Ｂは、図４のIVＢ部分の拡大図であり、図６は、図２をVI-VI線で切断した拡大断面図である。
【００２７】
前部ハウジング１１０は、上述した前面１１１、上面１１４、左側面１１５に加えて底面１１６、右側面１１７を有し、額縁のフレームのような構造をしている。前部ハウジング１１０の後面側にはセパレータ１５０が収容される。セパレータ１５０はハウジングと同じように樹脂で形成される。セパレータ１５０は、前部ハウジング１１０よりもわずかに小さな寸法を有しており、上面１５１、左側面１５２、底面１５３、右側面１５４、及び背面１５５を備えて構成される。これら上面１５１、左側面１５２、底面１５３、右側面１５４、及び背面１５５は収容空間ＳＳを形成しており、この収容空間ＳＳと前部ハウジング１１０の前面１１１の後ろ側との間にタッチスクリーン１１３が収容保持される。
【００２８】
セパレータ１５０の左側面１５２の背面１５５側にはさらに左方向に張り出した延出部１５６が形成され、延出部１５６の左端部には前方へ突出した左壁面１５７が設けられる。セパレータ１５０の左側面１５２、延出部１５６、左壁面１５７は樋状の断面形状を有している。セパレータ１５０が前部ハウジング１１０の後面に収容された際に、前部ハウ
ジング１１０の前面１１１の後面と、セパレータ１５０の左側面１５２、延出部１５６、左壁面１５７によってスタイラスペン収容部ＰＳが形成される。
【００２９】
このスタイラスペン収容部ＰＳと収容空間ＳＳとは左側面１５２によって完全に隔てられており、例えばスタイラスペン収容部ＰＳから収容空間ＳＳに対して水分等は浸入できないようにされている。
【００３０】
後部ハウジング１２０は、上面１２１、左側面１２２、底面１２３、右側面１２４、背面１２５を備えて構成される。これら上面１２１、左側面１２２、底面１２３、右側面１２４、背面１２５と、セパレータ１５０との間に形成される空間には、タブレット型コンピュータ１０の制御基板（図示せず）が収容される。
【００３１】
スタイラスペン２００を挿入するための開口１４０、及びスロット１４１は、前部ハウジング１１０と後部ハウジング１２０の接合部分にそれぞれ対称に形成された半円形の凹部と半スロットにより構成される。つまり、前部ハウジング１１０の上面１１４の左端部付近から左側面１１５の上端部付近にかけて形成された半円形の第１の凹部１４０Ａ、第１の凹部１４０Ａの左端部から左側面１１５にかけて下方に向かって左側面１１５を長方形状に切り欠いて形成された第１の半スロット１４１Ａ、及び、後部ハウジング１２０の上面１２１の左端部付近から左側面１２２の上端部付近にかけて形成された半円形の第２の凹部１４０Ｂ、第２の凹部１４０Ｂの左端部から左側面１２２にかけて下方に向かって左側面１２２を長方形状に切り欠いて形成された第２の半スロット１４１Ｂから構成される。
【００３２】
前部ハウジング１１０と後部ハウジング１２０とが互いに結合された際に、第１の凹部１４０Ａと第２の凹部１４０Ｂは円形の開口１４０を形成し、第１の半スロット１４１Ａと第２の半スロット１４１Ｂは開口１４０の左側に連通したスロット１４１を形成する。
【００３３】
さらに、前部ハウジング１１０に設けられた半スロット１４１Ａの内部側には左側面１１５とほぼ平行に第１のリブ１４２Ａが形成される。第１のリブ１４２Ａには、後方へ向けて（図５Ａでは上方）突出した第１の係止突起１４３Ａが形成される。第１の係止突起１４３Ａの形状は鋭角な三角形状であるが、本実施例はこの形状に限定されず、先端部分が突出した多角形状等であってもよい。
【００３４】
また、第２の半スロット１４１Ｂの内部側には左側面１２２とほぼ平行に第２のリブ１４２Ｂが形成される。第２のリブ１４２Ｂには、前方へ向けて突出した第２の係止突起１４３Ｂが形成される。第２の係止突起１４３Ｂの形状は、第１の係止突起１４３Ａよりも鈍角な三角形状、或いは台形、半円形等である。第１のリブ１４２Ａと第２のリブ１４２Ｂは、前部ハウジング１１０と後部ハウジング１２０とが互いに結合された際に、スロット１４１の内部で互いに正対した位置となる。
【００３５】
それに対して、図６に示すように、第１のリブ１４２Ａに形成された第１の係止突起１４３Ａと第２のリブ１４２Ｂに形成された第２の係止突起１４３Ｂは、互いに正対した位置関係になく、第２の係止突起１４３Ｂが第１の係止突起１４３Ａよりもスロット１４１の奥側、つまり下方（図６では左側）に位置することになる。すなわち、第１の係止突起１４３Ａと第２の係止突起１４３Ｂは互いにスロット１４１を挟んではす向かいの位置関係にある。
【００３６】
ここで、図６に示すように、第１の係止突起１４３Ａと第２の係止突起１４３Ｂ間の最短の幅をＷｉ（以下、突起間最短距離Ｗｉという）とし、第１の係止突起１４３Ａと第２の係止突起１４３Ｂが正対した位置にあった場合の突起間の仮想距離をＷｒ（突起正対仮
想距離Ｗｒ）とするとＷｒ＞Ｗｉとなる。
【００３７】
次に、図７、図８を参照して本実施形態のスタイラスペン２００について説明する。なお、図７Ａは、スタイラスペンを、スタイラスペンのタブの第１の面を上にした状態の外観斜視図、図７Ｂは、スタイラスペンを、スタイラスペンのタブの第２の面を上に下状態の外観斜視図であり、図８は、図７ＡのスタイラスペンをVIII−VIII線で切断した拡大断面図である。
【００３８】
スタイラスペン２００は樹脂で形成される。また、スタイラスペン２００は円柱状のペン本体２１０を有している。ペン本体２１０の一端には先細りになったポインタ２１１が形成され、タッチスクリーン１１３の表面を押圧することによって入力操作を行うことができる。このポインタ２１１は比較的柔らかい樹脂で形成される。ポインタ２１１とペン本体２１０とは同じ材料で形成されてもよいし、異なる材料で形成されてもよい。ペン本体２１０のポインタ２１１に近い部位には、周囲に環状の溝２１３が複数形成されており、ユーザが手で把持する際の滑り止めとして機能する。ペン本体２１０のポインタ２１１とは反対側の端部２１２には、ペン本体２１０の中心軸に沿って側面から一方の径方向外側に突出した平板状のタブ２２０が形成されている。
【００３９】
タブ２２０のペン本体２１０の中心軸方向の長さは、本体１００に形成されたスロット１４１の長さに対応しており、スタイラスペン２００が本体１００の開口１４０からスタイラスペン収容部ＰＳに挿入された際に、タブ２２０がスロット１４１にぴったりと収容される長さとされる。また、タブ２２０の径方向の幅は、タブ２２０がスロット１４１に収容された際にその外端部分がスロット１４１からハウジングの左側面１１５、１２２を超えて外部に突出する大きさとされる。
【００４０】
また、タブ２２０の第１の面２２１Ａと第２の面２２１Ｂとの間の厚さＷｔ（以下、タブ厚さＷｔ）は、突起間最短距離Ｗｉ＞タブ厚さＷｔ＞突起正対仮想距離Ｗｒであり、スロット１４１内に突出した第１の係止突起１４３Aと第２の係止突起１４３Bとの間を通過できるようにされる。
【００４１】
タブ２２０には、ペン本体２１０の端部２１２からタブ２２０の最も外側の端部にかけて、タブ２２０の他の部位よりも肉厚にして縁取った外縁部２２２が設けられる。外縁部２２２は、タブ２２０のポインタ側の端部には形成されない。
【００４２】
タブ２２０の第１の面２２１Ａには第１の溝２２３Ａが形成され、第２の面２２１Ｂには第２の溝２２３Ｂが形成される。第１の溝２２３Ａ、第２の溝２２３Ｂはそれぞれペン本体２１０の軸方向に対して垂直方向に形成される。これら第１の溝２２３Ａと第２の溝２２３Ｂは、図８に示すように、タブ２２０の第１の面２２１Ａと第２の面２２１Ｂの対応する位置に形成されるのではなく、互いにずれた位置に形成される。具体的には、第１の溝２２３Ａはポインタ２１１とは反対側の端部２１２に近い位置に形成されるのに対し、第２の溝２２３Bはポインタ２１１に近い位置に形成される。
【００４３】
次に、スタイラスペン２００を、図２、図３の矢印Ｐで示すようにタブレット型コンピュータ１０の本体１００の開口１４０に挿入する場合について、図９、図１０を参照して説明する。なお、図９は、タブレット型コンピュータ１０にスタイラスペンを収容した状態の外観斜視図であり、図１０は、図９のX-X線断面図であり、タブレット型コンピュータ１０とスタイラスペンとの係合状態を示す図である。
【００４４】
スタイラスペン２００のペン本体２１０を、開口１４０を介して前部ハウジング１１０の前面１１１の裏面、セパレータ１５０の左側面１５２、延出部１５６、左壁面１５７に
よって囲まれるスタイラスペン収容部ＰＳに挿入し、スタイラスペン２００のタブ２２０をスロット１４１に挿入すると、図９に示すように、タブレット型コンピュータ１０にスタイラスペン２００を収容して係合させることが可能となる。
【００４５】
この挿入操作の際に、スタイラスペン２００のタブ２２０の第１の面２２１Ａの前端部分が第１の係止突起１４３Ａに当接する。そのため、タブ２２０の進行方向が第１の係止突起１４３Ａを乗り越えるような向きに変化する。次いで、タブ２２０の第２の面２２１Ｂの前端部分が第２の係止突起１４３Ｂに当接する。それによりタブ２２０は進行方向を第２の係止突起１４３Ｂを乗り越えるような向きに再び変化させ、第１の係止突起１４３Ａと第２の係止突起１４３Ｂの間を通過する。すると、タブ２２０の第１の溝２２３Ａが第１の係止突起１４３Ａに係止されると同時に、第２の溝２２３Ｂが第２の係止突起１４３Ｂに係止される。このようにして、スタイラスペン２００はタブレット型コンピュータ１０の本体１００に係止される。
【００４６】
スタイラスペン２００のタブ２２０が第１の係止突起１４３Ａと第２の係止突起１４３Ｂの間を通過し、第１の溝２２３Ａと第１の係止突起１４３Ａが係止され、同時に第２の溝２２３Ｂと第２の係止突起１４３Ｂが係止される瞬間に、係止突起と溝との間で生じる接触によってクリック音が発生する。このクリック音によって、ユーザはスタイラスペン２００がタブレット型コンピュータ１０のスタイラスペン収容部ＰＳに確実に収容されたことを認知することが可能となる。
【００４７】
このとき、スタイラスペン２００のタブ２２０の外縁部２２２はタブレット型コンピュータ１０の本体１００のスロット１４１から外部（左側）に突出しており、ユーザは、この外縁部２２２を手指で引っ掛けて上方へ引き上げることによって、上記タブ２２０の溝２２３Ａ、２２３Ｂと本体１００のスロット１４１の係止突起１４３Ａ、１４３Ｂとの係合を解除し、スタイラスペン２００をタブレット型コンピュータ１０の本体１００から引き外すことができる。
【００４８】
以上、説明したように、本実施形態のタブレット型コンピュータ１０においては、本体の内部にスタイラスペン２００を収容するためのスタイラスペン収容部ＰＳと、スタイラスペンを挿入する開口１４０を形成し、その開口部付近にスタイラスペン収容部ＰＳに向けて突出した第１の係止突起１４３Ａと第２の係止突起１４３Ｂをはす向かいの位置に形成し、スタイラス２００には、上記の係止突起に対応した第１の溝２２３Ａと第２の溝２２３Ｂを備えるタブ２２０を設けることによって、タブレット型コンピュータ１０の内部に食切り穴等の形成が必要な弾性部材等を設けることなく上記二つの係止突起と溝相互の係止によりスタイラスペン２００をスタイラスペン収容部ＰＳに収容・係止することが可能となる。
【００４９】
また、食切り穴等を形成しないので、水分などが開口１４０からスタイラスペン収容部ＰＳに浸入した場合でも、それらの水分が収容空間ＳＳに浸入してタッチスクリーン１３０を汚損することを防止することが可能となる。また、前部ハウジング１１０、後部ハウジング１２０、セパレータ１５０の製造の際に食切り穴の形成が不要となるので、樹脂成型の際の金型の構造を一層簡単にすることができ、製造コストを抑えることも可能となる。
【００５０】
なお、上記実施形態においては、スタイラスペン収容部ＰＳを本体１００の左側に鉛直方向に形成し、開口１４０を上面１１４、１２１に形成した例について説明したが、本発明は上記実施形態に限定されず、スタイラスペン収容部ＰＳを本体の右側に鉛直方向に設けたり、或いは上部又は下部に水平方向に設けたりしてもよい。その場合は、開口１４０もスタイラスペン収容部ＰＳに対応した位置に形成すればよい。
【００５１】
また、上記実施形態においては、スタイラスペン２００のタブ２２０の第１の面２２１Ａに設けられた第１の溝２２３Ａと第２の面２２１Ｂに設けられた第２の溝２２３Ｂの位置が第１の係止突起１４３Ａと第２の係止突起１４３Ｂの位置に対応して互いにずれた位置にある場合について説明したが、本発明は上記に限られず、上記の溝に加えて、第１の面２２１Ａに上記第２の溝２２３Ｂの正反対の位置に溝を形成し、第２の面２２１Ｂに上記の第１の溝２２３Ａの正反対の位置に溝を形成するようにしてもよい。こうすることにより、タブ２２０の第１の面２２１Ａと第２の面２２１Ｂで溝の位置が一致しているため、美観を向上させることが可能となる。しかしながら、この場合は、タブ２２０を第１の係止突起１４３Ａと第２の係止突起１４３Ｂとの間に挿入した際に完全に、係止状態となるまでに２回クリック音が発生する。そのため、ユーザが、１回クリック音が発生した段階で完全な係止状態であると誤って判断してしまう可能性がある。そのため、上記実施形態で説明されているように、それぞれの面に一つの溝が形成される方が望ましい。
【符号の説明】
【００５２】
１０    タブレット型コンピュータ
１００    本体
１１０    前部ハウジング
１１１    前面
１１２    開口
１１３    タッチスクリーン
１１４    上面
１１５    左側面
１１６    底面
１１７    右側面
１２０    後部ハウジング
１２１    上面
１２２    左側面
１２３    底面
１２４    右側面
１２５    背面
１３０    スタンド
１３１    ハウジング取付け部
１３２    突出部
１４０    開口
１４０Ａ  第１の凹部１４０Ａ
１４０Ｂ  第２の凹部１４０Ｂ
１４１    スロット
１４１Ａ  第１の半スロット
１４１Ｂ  第２の半スロット
１４２Ａ  第１のリブ
１４２Ｂ  第２のリブ
１４３Ａ  第１の係止突起
１４３Ｂ  第２の係止突起
１５０    セパレータ
１５１    上面
１５２    左側面
１５３    底面
１５４    右側面
１５５    背面
１５６    延出部
１５７    左壁面
２００    スタイラスペン
２１０    ペン本体
２１１    ポインタ
２１２    ポインタとは反対側の端部
２１３    環状の溝２１３
２２０    タブ
２２１Ａ  第１の面
２２１Ｂ  第２の面
２２２    外縁部
２２３Ａ  第１の溝
２２３Ｂ  第２の溝
【図１】
2014063238.tif 000003
【図２】
2014063238.tif 000004
【図３】
2014063238.tif 000005
【図４】
2014063238.tif 000006
【図５】
2014063238.tif 000007
【図６】
2014063238.tif 000008
【図７】
2014063238.tif 000009
【図８】
2014063238.tif 000010
【図９】
2014063238.tif 000011
【図１０】
2014063238.tif 000012